(57)【要約】【課題】門扉パネルの両側に縦框を取り付けた構成の門扉において、縦框のぐらつきを抑えて良好な操作性を維持できるようにする。【解決手段】門扉２０は、鋳物製の門扉パネル２２と、門扉パネル２２の左右両側に取り付けられた縦框２４とを備える。門扉パネル２２は左右両側に突出する耳部２２０を有し、縦框２４は、一対の側壁２４０と、側壁２４０を連結する外側連結壁２４２及び内側連結壁２４４とを有し、内側連結壁２４４の耳部２２２に対応する位置には開口部２４８が設けられる。耳部２２２の先端面が開口部２４８を通して外側連結壁２４２側に延出し、外側連結壁２４２と耳部２４４とがビス止めされている。【選択図】  図３
2005344377.tif 000002
【特許請求の範囲】
【請求項１】
門扉パネルと、この門扉パネルの左右両側に取り付けられた縦框とを備える門扉であって、
前記門扉パネルは左右の側面から突出する少なくとも一対の耳部を有し、
前記縦框は、互いに対向する一対の側壁と、これら側壁を前記門扉の外側で連結する外側連結壁と、前記門扉パネル側で連結する内側連結壁とを有し、前記内側連結壁には前記耳部に対応する位置に開口部が設けられており、
前記耳部の先端面が前記開口部を通して前記外側連結壁側に延出し、前記外側連結壁と前記耳部とが固着具で連結されていることを特徴とする門扉。
【請求項２】
門扉パネルと、この門扉パネルの左右両側に取り付けられた縦框とを備える門扉であって、
前記門扉パネルはその上端部又は下端部の少なくとも一方に左右の側面から突出する耳部を有し、
前記縦框は、互いに対向する一対の側壁と、これら側壁を前記門扉の外側で連結する外側連結壁と、前記門扉パネル側で連結する内側連結壁とを有し、前記耳部の位置に対応して前記内側連結壁の上端部又は下端部には切欠部が設けられており、
前記耳部が前記切欠部に嵌め込まれるように、前記外側連結壁と前記耳部とが固着具で連結されていることを特徴とする門扉。
【請求項３】
門扉パネルと、この門扉パネルの左右両側に取り付けられた縦框とを備える門扉であって、
前記門扉パネルはその上端部又は下端部の何れか一方に左右の側面から突出する耳部を有し、
前記縦框は、互いに対向する一対の側壁と、これら側壁を前記門扉の外側で連結する外側連結壁と、前記門扉パネル側で連結する内側連結壁とを有し、前記耳部の位置に対応して前記内側連結壁の上端部又は下端部には切欠部が設けられており、
前記耳部が前記切欠部に嵌め込まれるように、前記外側連結壁と前記耳部とが固着具で連結されており、
前記縦框の前記内側連結壁よりも前記門扉パネル側の部分は、前記門扉パネルの側端部を覆う呑込部を構成し、
前記門扉パネルの側端部には厚さ方向に膨出する膨出部が設けられ、この膨出部が前記呑込部に嵌合されていることを特徴とする門扉。
【請求項４】
前記門扉パネルの側面が前記内側連結壁に当接していることを特徴とする請求項１〜３のうち何れか１項記載の門扉。
【請求項５】
前記門扉パネルの側面が前記内側連結壁に接合されていることを特徴とする請求項４記載の門扉。
【請求項６】
前記耳部を上下に貫通する貫通穴が設けられ、前記縦框の前記内側連結壁には前記貫通穴に対応する位置にビス受けが設けられ、前記貫通穴を貫通するビスが前記ビス受けにねじ込まれていることを特徴とする請求項１〜５のうち何れか１項記載の門扉。
【発明の詳細な説明】
【技術分野】
【０００１】
本発明は、門扉パネルの両側に縦框を取り付けてなる門扉に関する。
【背景技術】
【０００２】
従来より、門扉として全体を鋳物製としたものがある。鋳物は、変化に富んだ形状を高い自由度で形成できるので、門扉全体を鋳物製とすることにより意匠製に優れた門扉を実現することができる。しかし、門扉には、ヒンジやハンドル等の各種部品を取り付ける必要があるため、全体を鋳物製とした門扉では、これらの部品を取り付けるための加工を行い難いという問題がある。
【０００３】
これに対して、例えば特許文献１には、鋳物製の門扉本体の両側に縦框を取り付けた門扉が開示されている。このような構成の門扉によれば、鋳物製の門扉本体によって高い意匠性を得ながら、両側の縦框を利用してヒンジ等の各種部品の取り付けを容易に行うことができる。
【特許文献１】登録実用新案第２５４０７２２号公報
【発明の開示】
【発明が解決しようとする課題】
【０００４】
特許文献１に開示される門扉では、縦框に部品が取り付けられるため、縦框の内部に中空部分を確保することが必要である。このため、縦框に対する門扉本体の呑み込み代を大きくとることができず、門扉の開閉時に縦框と門扉本体との接続部に大きな曲げモーメントが作用してしまう。このことを図１０を参照して説明すると以下の通りである。図１０に模式的に示すように、門扉Ａを開閉する力Ｆがに作用した場合、力点は力Ｆが作用した側の端部Ｐ１となり、支点は他方の端部Ｐ２となる。門扉本体Ｂの縦框Ｃへの呑み込み代が小さいと、門扉本体Ｂと縦框Ｃとの接合部Ｊは、力点、支点である端部Ｐ１，Ｐ２から内側へ離れた位置となる。このため、接合部Ｊに、接合部Ｊと端部Ｐ１，Ｐ２との距離に応じた大きさの曲げモーメントＭが作用してしまうのである。特に、特許文献１に開示される門扉は、縦框が四方枠組みされる構成ではなく、門扉本体の両側にのみビス止めされるため、門扉本体と縦框との接合部に曲げモーメントが作用すると、縦框のぐらつきが生じ易くなり、その結果、門扉の操作性が損なわれる。
【０００５】
本発明は上記の点に鑑みてなされたものであり、門扉パネルの両側に縦框を取り付けた構成の門扉において、縦框のぐらつきを抑えて良好な操作性を維持できるようにすることを目的とする。
【課題を解決するための手段】
【０００６】
上記の目的を達成するため、本発明は、門扉パネルと、この門扉パネルの左右両側に取り付けられた縦框とを備える門扉であって、
前記門扉パネルは左右の側面から突出する少なくとも一対の耳部を有し、
前記縦框は、互いに対向する一対の側壁と、これら側壁を前記門扉の外側で連結する外側連結壁と、前記門扉パネル側で連結する内側連結壁とを有し、前記内側連結壁には前記耳部に対応する位置に開口部が設けられており、
前記耳部の先端面が前記開口部を通して前記外側連結壁側に延出し、前記外側連結壁と前記耳部とが固着具で連結されていることを特徴とする。
【０００７】
また、本発明は、門扉パネルと、この門扉パネルの左右両側に取り付けられた縦框とを備える門扉であって、
前記門扉パネルはその上端部又は下端部の少なくとも一方に左右の側面から突出する耳部を有し、
前記縦框は、互いに対向する一対の側壁と、これら側壁を前記門扉の外側で連結する外側連結壁と、前記門扉パネル側で連結する内側連結壁とを有し、前記耳部の位置に対応して前記内側連結壁の上端部又は下端部には切欠部が設けられており、
前記耳部が前記切欠部に嵌め込まれるように、前記外側連結壁と前記耳部とが固着具で連結されていることを特徴とする。
【０００８】
また、本発明は、門扉パネルと、この門扉パネルの左右両側に取り付けられた縦框とを備える門扉であって、
前記門扉パネルはその上端部又は下端部の何れか一方に左右の側面から突出する耳部を有し、
前記縦框は、互いに対向する一対の側壁と、これら側壁を前記門扉の外側で連結する外側連結壁と、前記門扉パネル側で連結する内側連結壁とを有し、前記耳部の位置に対応して前記内側連結壁の上端部又は下端部には切欠部が設けられており、
前記耳部が前記切欠部に嵌め込まれるように、前記外側連結壁と前記耳部とが固着具で連結されており、
前記縦框の前記内側連結壁よりも前記門扉パネル側の部分は、前記門扉パネルの側端部を覆う呑込部を構成し、
前記門扉パネルの側端部には厚さ方向に膨出する膨出部が設けられ、この膨出部が前記呑込部に嵌合されていることを特徴とする。
【０００９】
本発明によれば、鋳物製の門扉パネルの両側に突出する耳部が、縦框の外側連結壁と内側連結壁との間に収容されて、耳部の先端面が外側連結壁に接合される。このため、門扉パネルと縦框との接合部の位置が門扉の両側端部とほぼ一致することとなり、門扉を開閉時に前記接合部に作用する曲げモーメントは小さく抑えられる。このため、前記接合部におけるぐらつきの発生を防止して、門扉の良好な操作性を維持できる。また、耳部は縦框の内部に収容されて外から見えないので、耳部が門扉の美観を損なうこともない。
【００１０】
また、前記内側連結壁の上端部又は下端部に切欠部が設けられる構成においては、前記縦框の前記内側連結壁よりも前記門扉パネル側の部分は、前記門扉パネルの側端部を覆う呑込部を構成し、前記門扉パネルの側端部には厚さ方向に膨出する膨出部が設けられ、この膨出部が前記呑込部に嵌合されていることとしてもよい。このような構成によれば、門扉パネルの膨出部が縦框の呑込部に嵌合されることにより、門扉パネルと縦框との相対的な移動が規制され、門扉パネルと縦框との一体性が増すので、両者の接合部におけるぐらつきの発生をより効果的に防止することができる。
【００１１】
また、本発明において、前記門扉パネルの側面が前記内側連結壁に当接する構成とすることにより、門扉パネルと縦框との一体性を向上させることができ、さらに、前記門扉パネルの側面が前記内側連結壁に接合される構成とすることにより、門扉パネルと縦框とを更に強固に接合することができる。
【００１２】
また、本発明において、前記耳部を上下に貫通する貫通穴が設けられ、前記縦框の前記内側連結壁には前記貫通穴に対応する位置にビス受けが設けられ、前記貫通穴を貫通するビスが前記ビス受けにねじ込まれる構成とすることにより、門扉パネルと縦框とを更に強固に接合することができる。
【発明の効果】
【００１３】
本発明によれば、門扉パネルの両側に縦框を取り付けた構成の門扉において、縦框のぐらつきを抑えて良好な操作性を維持することが可能となる。
【発明を実施するための最良の形態】
【００１４】
図１は、本発明の第１の実施形態である門扉の全体構成を示す正面図である。同図に示すように、本実施形態の門扉は、親扉である門扉２０と子扉である門扉８０とにより構成されており、このうち門扉２０が本発明に係る門扉としての構成を備えている。
【００１５】
図２は、門扉２０の構成を模式的に示す斜視図であり、図３は、門扉２０の組み立て方法を示す分解斜視図である。また、図４は、門扉２０を後述する門扉パネルの耳部を通る水平面で切断した断面図であり、図５は、門扉２０を拡大して示す正面図である。
【００１６】
図２及び図３に示すように、門扉２０は、門扉パネル２２と、その両側に取り付けられた縦框２４とを備えている。
【００１７】
門扉パネル２２は鋳物製のパネル部材であり、図３に示すように、上下の端部近傍に、側面から両側に突出する一対の耳部２２０を備えている。
【００１８】
縦框２４は例えばアルミニウム押出型材により構成されており、図３，図４に示すように、互いに対向する一対の側壁２４０と、側壁２４０を門扉２０の外側で連結する外側連結壁２４２と、側壁２４０を門扉パネル２２側で連結する内側連結壁２４４とを備えている。内側連結壁２４４と外側連結壁２４２との間には中空部２４６が画成されている。内側連結壁２４４には、門扉パネル２２の耳部２２０に対応する位置に開口部２４８が設けられている。また、内側連結壁２４４の門扉パネル２２側の端部には、内側へ屈曲された立上り部２５０が設けられている。
【００１９】
図３及び図４に示すように、門扉パネル２２の耳部２２０は開口部２４８を通って、その端面が外側連結壁２４２に当接するまで中空部２４６へ挿入される。耳部２２０の突出長さは、内側連結壁２４４の門扉パネル２２側の面と、外側連結壁２４２の門扉パネル２２側の面との間の距離に等しい寸法に設計されている。したがって、耳部２２０の先端面が外側連結壁２４２に当接した状態で、門扉パネル２２の側端部が縦框２４の内側連結壁２４４と立上り部２５０との間に画成される空間（以下、呑込部２５２という）に呑み込まれて、門扉パネル２２の側面が内側連結壁２４４に当接する。この状態で、図３に示すように、外側連結壁２４２に設けられたビス穴を通して耳部２２０の端面にビス２６（本発明の固着具に相当）がねじ込まれることにより、外側連結壁２４２と耳部２２０とが連結される。
【００２０】
図４，図５に示すように、門扉２０の、門扉８０に隣接する側の縦框２４には、ハンドル２８が取り付けられている。上述の通り、耳部２２０は門扉パネル２２の上下の端部近傍にのみ設けられているので、ハンドル２８は、耳部２２０が存在しない中間位置にて、縦框２４の中空部２４６を利用して縦框２４に取り付けることができる。
【００２１】
図４に示すように、縦框２４の各側壁２４０の外側連結壁２４２よりも端部側には、内側に屈曲された屈曲部２５３が設けられている。この屈曲部２５３と外側連結壁２４２とで画成される溝部２５４内に取付板３０が設置され、屈曲部２５３をヒンジ３２及び取付板３０で両側から挟み込むようにボルト３４が締め付けられることで、ヒンジ３２が縦框２４に取り付けられる。ヒンジ３２は、ヒンジ取付部材３５を介して門柱６０に取り付けられている。
【００２２】
なお、子扉である門扉８０も、門扉２０と同様に、鋳物製の門扉パネル８２と、その両側に取り付けられた縦框８４とにより構成され、縦框８４にハンドル８６や落とし錠８８（図１）が取り付けられている。ただし、門扉８０では門扉パネル８２に耳部を設けない構成としている。これは、親扉である門扉２０では扉の開閉が頻繁に行われるため、門扉パネル２２と縦框２４との十分な接合強度を確保する必要があるのに対して、子扉である門扉８０は開閉の頻度が少ないため、さほど大きな接合強度は必要とならないからである。ただし、子扉である門扉８０についても、門扉２０と同様に門扉パネル８２に耳部を設ける構成としてもよく、子扉が親扉と同じ大きさのときには子扉にも耳部を設けることが望ましい。
【００２３】
以上説明したように、本実施形態の門扉２０によれば、鋳物製の門扉パネル２２に設けられた耳部２２０が、縦框２４の中空部２４６に挿入されて外側連結壁２４２にビス止めされる。このため、門扉パネル２２と縦框２４との接合位置は、門扉２０が開閉される際に門扉２０に作用する力の支点（上記図１０のＰ２）及び力点（上記図１０のＰ１）の位置とほぼ一致することになる。したがって、門扉２０が開閉される際に門扉パネル２２と縦框２４との接合部に作用する曲げモーメントは小さくなり、これにより、縦框２４にぐらつきが生ずるのを防止して、門扉２０の良好な操作性を維持することができる。
【００２４】
また、門扉パネル２２の耳部２２０は、上端部近傍と下端部近傍にのみ設けているため、高さ方向の中間部では、中空部２４６内の空間を確保できる。このため、耳部２２０がハンドル２８等の部品の取り付けの障害となることもない。
【００２５】
このように、本実施形態の門扉２０によれば、縦框２４に部品を取り付けるための中空部分を確保しつつ、縦框２４と門扉パネル２２との接合部にぐらつきが生じるのを防止して門扉２０の良好な操作性を維持することができる。
【００２６】
また、耳部２２０は縦框２４の内部に収容されて外からは見えないため、耳部２２０が門扉２０の美観を損ねることもない。
【００２７】
なお、上記実施形態では、門扉パネル２２の上下２箇所に耳部２２０を設けたが、これに限らず、３箇所以上に耳部を設けても良いし、あるいは、１箇所にのみ耳部を設けても良い。例えば、落とし錠が門扉２０に取り付けられる場合のように、下端部に耳部が設けられると落とし錠の取り付けの障害となるのであれば、上端部近傍のみに耳部を設けることとすればよい。要するに、縦框２４の中空部２４６に収容される耳部２２０が縦框２４へのハンドルや落とし錠等の各種部品の取り付けの障害とならない範囲で、耳部２２０の位置や個数は適宜選択できる。また、一対の耳部を同じ高さに設ける場合に限らず、一方の耳部を上部に、他方の耳部を下部に設けるなど、一対の耳部の高さが互いに異なる構成も本発明の範囲に含まれる。
【００２８】
次に、本発明の第２の実施形態について説明する。
【００２９】
図６は、本発明の第２の実施形態である門扉の水平断面図である。本実施形態でも親扉である門扉１０２０が本発明に係る門扉の構成を有するものとしている。また、図７は、門扉１０２０における門扉パネル１０２２と縦框１０２４との組み立て方法を示す分解斜視図である。なお、図６，図７において上記図１〜図５と同様の構成部分には同一の符号を付して説明を省略する。
【００３０】
図７に示すように、本実施形態では、鋳物製門扉パネル１０２２の上端部にのみ、耳部１２２０が設けられている。また、門扉パネル１０２２の側端部には厚さ方向両側へ膨出する膨出部１２２２が、門扉パネル１０２２の高さ方向全長にわたって設けられている。膨出部１２２２の厚さは、縦框１０２４の側壁２４０間の間隔とほぼ同じ寸法となっている。一方、縦框１０２４の内側連結壁２４４の上端部には、矩形状に切り欠かれた切欠部１２４８が設けられている。
【００３１】
門扉パネル１０２２と縦框１０２４とを組み立てる場合、図７に示すように、門扉パネル１０２２の膨出部１２２２が、縦框１０２４の内側連結壁２４４と立上り部２５０との間の呑込部２５２に嵌挿されるように、耳部１２２０が切欠部１２４８の底辺に当接するまで門扉パネル１０２２を縦框１０２４の上方から嵌め込む。この状態で、外側連結壁２４２の外側から耳部１２２０の端面にビス２６でビス止めして、門扉パネル１０２２と縦框１０２４とを接合する。
【００３２】
このように本実施形態では、上記第１実施形態と同様に縦框１０２４と門扉パネル１０２２とがビス止めされ、さらに、門扉パネル１０２２の高さ方向全長にわたって延びる膨出部１２２２が縦框１０２４の呑込部２５２に嵌合することで、門扉パネル１０２２と縦框１０２４との相対的な移動が規制され、これにより縦框１０２４と門扉パネル１０２２とがより強固に一体化される。このため、門扉１０２０を開閉する力が作用した場合に、門扉パネル１０２２と縦框１０２４との接合部でのぐらつきは一層起こり難くなる。
【００３３】
また、内側連結壁２４４に切欠部１２４８を形成すればよく、第１の実施形態のように内側連結壁２４４に開口部２４８を設けるのに比べて加工が簡単である。
【００３４】
次に、本発明の第３の実施形態について説明する。
【００３５】
図８は、本発明の第３の実施形態である門扉の水平断面図である。本実施形態でも親扉である門扉２０２０が本発明に係る門扉の構成を有するものとしている。また、図９は、門扉２０２０における門扉パネル２０２２と縦框２０２４との組み付け方法を示す分解斜視図である。なお、図８、図９において上記図１〜図７と同様の構成部分には同一の符号を付して説明を省略する。
【００３６】
図９に示すように、本実施形態でも、上記第２の実施形態と同様に、門扉パネル２０２２の上端部に側面から突出する耳部２２２０が設けられ、縦框２０２４の内側連結壁２４４には、上端部に切欠部２２４８が設けられている。さらに、本実施形態では、内側連結壁２４４には、切欠部２２４８の底辺位置から下方に延びるビス受け２２５０が設けられていると共に、適宜な高さ位置に貫通穴２２５２が設けられている。一方、門扉パネル２０２２の側面には、縦框２０２４のビス受け２２５０に対応する位置に、耳部２２２０を上下に貫通する貫通穴２２２２が設けられ、また、縦框２０２４の貫通穴２２５２に対応する位置に、不図示のビス穴が設けられている。そして、ビス２０２６が、縦框２０２４の外側連結壁２４２の外側から貫通穴２２５４を通して耳部２２２０の先端面にねじ込まれ、ビス２０２７が、縦框２０２４の外側連結壁２４２に設けられた開口部２２５６から貫通穴２２５２を通して門扉パネル２０２２の側面にねじ込まれ、さらに、ビス２０２８が、門扉パネル２０２２の貫通穴２２２２を貫通して縦框２０２４のビス受け２２５０にねじ込まれことにより、門扉パネル２０２２と縦框２０２４とが接合される。
【００３７】
このように、本実施形態では、門扉パネル２０２２と縦框２０２４とが、高さ方向に離れた位置で横方向のビス２０２６，２０２７により接合され、さらに、縦方向のビス２０２８によっても接合される。このため、門扉パネル２０２２と縦框２０２４とがより強固に結合され、これにより、門扉２０２０を開閉する力が作用した際にも、門扉パネル２０２２と縦框２０２４との接合部におけるぐらつきは一層生じ難くなる。
【００３８】
なお、上記の通り、第１の実施形態では、縦框の内側連結壁に設けた開口部を通して門扉パネルの耳部を中空部に挿入する構成としたが、この実施形態において上端部にのみ耳部が設けられる場合には、第２、第３の実施形態の如く、内側連結壁の上端部に切欠部を設け、耳部を上方から切欠部に嵌め込むように取り付ける構成としてもよい。また、上記第１及び第２の実施形態において、第３の実施形態のように、内側連結壁２４４にビス受けを設けて耳部をビス止めし、あるいは、内側連結壁の外側から門扉パネルの側面をビス止めすることとしてもよい。
【００３９】
また、上記第１及び第２の実施形態では、門扉パネル１０２２，２０２２の上端部に耳部１２２０，２２２０を設け、これに対応して、縦框２４の内側連結壁２４４の上端部に切欠部１２４８，２２４８を設けて、門扉パネル１０２２，２０２２を縦框１０２４，２０２４の上方から嵌め込む構成とした。しかしながら、縦框２４の下端部に中空部を確保する必要がない場合には、門扉パネル１０２２，２０２２の下端部に耳部を設け、これに対応して、縦框２４の内側連結壁２４４の下端部に切欠部を設けて、門扉パネル１０２２，２０２２を縦框１０２４，２０４８の下方から嵌め込む構成としてもよい。
【図面の簡単な説明】
【００４０】
【図１】本発明の第１の実施形態である門扉の全体構成を示す正面図である。
【図２】本実施形態の門扉の構成を模式的に示す斜視図である。
【図３】図２の分解図である。
【図４】図２，図３の直線IV-IVで切断した断面図である。
【図５】本実施形態の門扉を拡大して示す正面図である。
【図６】本発明の第２の実施形態である門扉の水平断面図である。
【図７】本実施形態の門扉における門扉パネルと縦框との組み付け方法を示す分解斜視図である。
【図８】本発明の第３の実施形態である門扉の水平断面図である。
【図９】本実施形態の門扉における門扉パネルと縦框との組み付け方法を示す分解斜視図である。
【図１０】門扉の開閉時に縦框と門扉パネルとの接合部に作用するモーメントを説明するための図である。
【符号の説明】
【００４１】
２０，１０２０，２０２０  門扉
２２，１０２２，２０２２  門扉パネル
２２０，１２２０，２２２０  耳部
２４，１０２４，２０２４  縦框
２６，２０２６，２０２７，２０２８  ビス
２４０  側壁
２４２  外側連結壁
２４４  内側連結壁
２４６  中空部
２４８  開口部
２５２  呑込部
１２２２  膨出部
１２４８，２２４８  切欠部
２２５０  ビス受け
２２５２  貫通穴
【図１】
2005344377.tif 000003
【図２】
2005344377.tif 000004
【図３】
2005344377.tif 000005
【図４】
2005344377.tif 000006
【図５】
2005344377.tif 000007
【図６】
2005344377.tif 000008
【図７】
2005344377.tif 000009
【図８】
2005344377.tif 000010
【図９】
2005344377.tif 000011
【図１０】
2005344377.tif 000012